(57)【特許請求の範囲】
【請求項１】
ディスク挿入口を有する前面パネルと、前記ディスク挿入口から挿入されたディスクをガイドする開口部を有するディスクガイド部と、前記ディスクガイド部によりガイドされたディスクが挿入される読み取り装置側ディスク挿入口を有するディスク読み取り装置とを備えたディスク装置において、
前記ディスクガイド部のディスク読み取り装置側は、前記読み取り装置側ディスク挿入口に挿入組み付けられ、前記開口部のディスク読み取り装置側の厚みがディスク２枚分の厚みより狭くされ、
前記読み取り装置側ディスク挿入口が形成される前面プレートは、高剛性に構成される
ことを特徴とするディスク装置。
【請求項２】
前面プレートは、挿入組み付けられたディスクガイド部の前記ディスク読み取り装置側の前記ディスクの挿入方向と直交する上下面の両端部分を挟み込む
ことを特徴とする請求項１記載のディスク装置。
【請求項３】
前面プレートは、挿入組み付けられたディスクガイド部の前記ディスク読み取り装置側の前記ディスクの挿入方向と直交する上下面の中央部分を挟み込む
ことを特徴とする請求項１記載のディスク装置。
【請求項４】
ディスクガイド部は、前記開口部のディスク読み取り装置側の厚みが中央部分に向かい広くなる湾曲形状に構成される
ことを特徴とする請求項２記載のディスク装置。
【請求項５】
前面プレートは、異なる材料・形状の複数の部品から構成される
ことを特徴とする請求項１から請求項４のうちのいずれか１項記載のディスク装置。
【請求項６】
ディスクガイド部は、変形可能に構成され、
前面プレートは、前記ディスクガイド部の厚み方向に垂直な一方の面を支持する第１のプレートと、他方の面を支持する第２のプレートとから構成され、
ディスクの挿入・排出状態に応じて、前記第１，２のプレートの一方または両方を移動させて、開口部の厚みを調整する駆動部をさらに備えた
ことを特徴とする請求項１記載のディスク装置。
【請求項７】
駆動部は、ディスクを挿入する場合には、開口部の厚みをディスク２枚分の厚みより狭くし、ディスクを排出する場合には、前記開口部の厚みをディスク２枚分の厚みより広くする
ことを特徴とする請求項６記載のディスク装置。
【請求項８】
駆動部は、ディスクを挿入・排出するとき以外は、開口部を閉じる
ことを特徴とする請求項６または請求項７記載のディスク装置。
【請求項９】
第１，２のプレートは、ディスクガイド部の厚み方向に垂直な２つの面の中央部分を挟み込む
ことを特徴とする請求項６または請求項７記載のディスク装置。
【請求項１０】
異なる直径のディスクを挿入する場合において、
前面プレートは、ディスクガイド部の厚み方向に垂直な２つの面の中央部分を挟み込み固定された第３，４のプレートをさらに有し、
第１，２のプレートは、ディスクガイド部の厚み方向に垂直な２つの面の、小径のディスク両端に対応する位置よりも外側部分を挟み込む
ことを特徴とする請求項６または請求項７記載のディスク装置。
【請求項１１】
ディスクガイド部および前面プレートのうち一方には、ディスク挿入方向に沿った突起部が形成され、他方の前記突起部と対向する位置には、前記突起部と嵌合される嵌合部が形成される
ことを特徴とする請求項１から請求項１０のうちのいずれか１項記載のディスク装置。
【請求項１２】
ディスクガイド部および前面プレートのうち一方には、厚み方向に沿った突起部が形成され、他方の前記突起部と対向する位置には、前記突起部と嵌合される嵌合部が形成される
ことを特徴とする請求項１から請求項１１のうちのいずれか１項記載のディスク装置。
【発明の詳細な説明】
【技術分野】
【０００１】
この発明は、ディスクを２枚重ねた状態での誤挿入を防止するディスク装置に関するものである。
【背景技術】
【０００２】
オーディオ機器やカーナビ機器などでのディスク装置において、使用者が誤ってディスク（ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ）やＢＤ（Ｂｌｕ−ｒａｙ（登録商標）  Ｄｉｓｃ）など）を２枚重ねた状態で挿入してしまい、装置の故障や誤作動などがしばしば発生している。
【０００３】
そこで、従来のディスク装置では、前面パネルのディスク挿入口から挿入されたディスクをディスク読み取り装置のディスク挿入口にガイドするディスクガイド部に、ディスク２重挿入防止機能を付加している。すなわち、ディスクガイド部の厚み方向の開口寸法を、ディスク２枚分の厚みよりも狭く構成している（例えば特許文献１，２参照）。
【０００４】
また、ディスクを２枚重ねた状態で挿入しようとしたときに、ディスクガイド部の厚み方向に応力が加わり、開口が広がる恐れがある。そのため、応力によるディスクガイド部の変形を防ぐ必要がある。そこで、特許文献１，２に開示されるディスク装置では、ディスクガイド部にフランジ形状の追加、板厚の増加やリブの補強などを行い、ディスクガイド部の剛性を高めている。これにより、使用者が誤ってディスクを２枚重ねた状態で挿入しようとした場合にも、開口が広がることはなく、ディスクガイド部を通ることはできないため、ディスクの２重挿入を防止することができる。
【先行技術文献】
【特許文献】
【０００５】
【特許文献１】特開２００６−３３８７１３号公報
【特許文献２】特開２００７−２６５５４４号公報
【発明の概要】
【発明が解決しようとする課題】
【０００６】
上記のように特許文献１，２に開示される従来のディスク装置では、ディスクガイド部の剛性を高めるため、フランジ形状の追加、板厚の増加やリブの補強を行う必要がある。しかしながら、ディスクガイド部近傍に照明用の部品を配置する必要がある場合などスペースに制約がある場合には、ディスクガイド部自体の剛性を高めることはできず、ディスクの２重挿入を防止することができないという課題があった。
【０００７】
また、特許文献１に開示されるディスク装置では、ディスクガイド部内のディスク挿入方向中央部分に頂部を形成し、この頂部間の開口寸法をディスク２枚分の厚みより狭くすることで、ディスクの２重挿入を防止している。
しかしながら、ディスクガイド部を樹脂により成形する場合には抜き勾配が必要となるため、ディスクガイド部のディスク読み取り装置側の開口寸法は、中央部分の開口寸法に対して広がり、ディスク読み取り装置のディスク挿入口の開口寸法よりも広くなる。そのため、ディスクが斜めに挿入された場合に、このディスクがディスク読み取り装置のディスク挿入口からずれた位置にガイドされてしまい、ディスク挿入口に入れることができない恐れがあるという課題があった。
【０００８】
この発明は、上記のような課題を解決するためになされたもので、ディスクガイド部にフランジの追加、板厚の増加やリブの補強などを行うことなく、ディスクの２重挿入を防止することができ、ディスクを確実にディスク読み取り装置のディスク挿入口に挿入することができるディスク装置を提供することを目的としている。
【課題を解決するための手段】
【０００９】
この発明に係るディスク装置は、ディスクガイド部のディスク読み取り装置側が、読み取り装置側ディスク挿入口に挿入組み付けられ、開口部のディスク読み取り装置側の厚みがディスク２枚分の厚みより狭くされ、読み取り装置側ディスク挿入口が形成される前面プレートが、高剛性に構成されるものである。
【発明の効果】
【００１０】
この発明によれば、上記のように構成したので、高剛性の前面プレートによってディスクガイド部のディスク読み取り装置側を挟み込むことにより、ディスクガイド部にフランジの追加、板厚の増加やリブの補強などを行うことなく、ディスクの２重挿入を防止することができる。また、ディスクガイド部をディスク読み取り装置のディスク挿入口に挿入することにより、ディスクを確実にディスク読み取り装置のディスク挿入口に挿入することができる。
【図面の簡単な説明】
【００１１】
【図１】この発明の実施の形態１に係るディスク装置の構成を示す分解斜視図である。
【図２】この発明の実施の形態１に係るディスク装置の構成を示す横断面図である。
【図３】この発明の実施の形態１におけるディスク読み取り装置のディスク挿入口に挿入されたディスクガイド部を示す斜視図である。
【図４】この発明の実施の形態１におけるディスクガイド部および前面プレートの構成を示す図３のＡ−Ａ線正断面図である。
【図５】この発明の実施の形態２におけるディスクガイド部および前面プレートの構成を示す斜視図である。
【図６】この発明の実施の形態２におけるディスクガイド部および前面プレートの構成を示す正断面図である。
【図７】この発明の実施の形態２におけるディスクガイド部および前面プレートの別の構成を示す斜視図である。
【図８】この発明の実施の形態３におけるディスクガイド部および前面プレートの構成を示す正断面図である。
【図９】この発明の実施の形態４におけるディスクガイド部および前面プレートの構成を示す正断面図である。
【図１０】この発明の実施の形態５におけるディスクガイド部および前面プレートの構成を示す正断面図である。
【図１１】この発明の実施の形態６におけるディスクガイド部および前面プレートのディスクを挿入する場合の状態を示す図であり、（ａ）正断面図であり、（ｂ）横断面図である。
【図１２】この発明の実施の形態６におけるディスクガイド部および前面プレートのディスクが挿入されている場合の状態を示す図であり、（ａ）正断面図であり、（ｂ）横断面図である。
【図１３】この発明の実施の形態６におけるディスクガイド部および前面プレートのディスクを排出する場合の状態を示す図であり、（ａ）正断面図であり、（ｂ）横断面図である。
【図１４】この発明の実施の形態８におけるディスクガイド部および前面プレートの構成を示す正断面図であり（ａ）ディスクを挿入する場合の状態を示す図であり、（ｂ）ディスクが挿入されている場合の状態を示す図である。
【図１５】この発明の実施の形態９におけるディスクガイド部および前面プレートの構成を示す正断面図であり（ａ）第１のディスクを挿入する場合の状態を示す図であり、（ｂ）第２のディスクを挿入する場合の状態を示す図である。
【図１６】この発明の実施の形態１０におけるディスクガイド部および前面プレートの構成を示す図であり、（ａ）斜視図であり、（ｂ）ディスクガイド部側からの分解斜視図であり、（ｃ）前面プレート側からの分解斜視図である。
【図１７】この発明の実施の形態１０におけるディスクガイド部および前面プレートの構成を示す横断面図であり、（ａ）ディスクを挿入していない状態を示す図であり、（ｂ）ディスクを挿入している際の状態を示す図である。
【図１８】この発明の実施の形態１０におけるディスクガイド部および前面プレートの別の構成を示す図であり、（ａ）斜視図であり、（ｂ）分解斜視図である。
【図１９】この発明の実施の形態１０におけるディスクガイド部および前面プレートの別の構成を示す横断面図であり、（ａ）ディスクを挿入していない状態を示す図であり、（ｂ）ディスクを挿入している際の状態を示す図である。
【図２０】この発明の実施の形態１１におけるディスクガイド部および前面プレートの構成を示す図であり、（ａ）斜視図であり、（ｂ）分解斜視図である。
【図２１】この発明の実施の形態１１におけるディスクガイド部および前面プレートの構成を示す横断面図である。
【図２２】この発明の実施の形態１１におけるディスクガイド部および前面プレートの別の構成を示す図であり、（ａ）斜視図であり、（ｂ）分解斜視図である。
【図２３】この発明の実施の形態１１におけるディスクガイド部および前面プレートの別の構成を示す横断面図である。
【発明を実施するための形態】
【００１２】
以下、この発明の実施の形態について図面を参照しながら詳細に説明する。
実施の形態１．
ディスク装置は、図１に示すように、前面パネル１、ディスクガイド部２およびディスク読み取り装置３から構成されている。
なお以下では、ディスクガイド部２、ディスクガイド部２の後述する開口部２１およびディスク読み取り装置３の後述する読み取り装置側ディスク挿入口３１において、ディスク挿入方向（図１のｘ方向）に垂直な短手方向（図１のｚ方向）の長さを厚みと称し、ディスク挿入方向に垂直な長手方向（図１のｙ方向）の長さを幅と称して説明を行う。また、ディスク装置の前面パネル１側を前方側とし、ディスク読み取り装置３側を後方側として説明を行う。
【００１３】
前面パネル１は、ディスク読み取り装置３を収納する筐体（不図示）の前面に設けられるものであり、ディスク装置を操作するための各種操作ボタンやディスク（ＣＤ，ＤＶＤやＢＤなど）を挿入するためのディスク挿入口１１が形成されている。ディスク挿入口１１の開口寸法（厚みおよび幅）は、ディスク１枚分の厚みおよびディスク直径より広く形成されている。
【００１４】
ディスクガイド部２は、ディスク挿入口１１とディスク読み取り装置３の後述する読み取り装置側ディスク挿入口３１との間に配置されるものであり、ディスク挿入口１１から挿入されたディスクを読み取り装置側ディスク挿入口３１にガイドする開口部２１が形成されている。このディスクガイド部２は、ガイドするディスクを傷つけないようにするため、樹脂材料により構成されている。
【００１５】
また、開口部２１の前方側は、図２に示すように、ディスク挿入口１１と略同一の寸法に形成されている。一方、開口部２１の後方側は、幅はディスク直径よりも広く形成され、厚みは、ディスク１枚分の厚みよりも広く、かつ、ディスク２枚分の厚みよりも狭くなるように形成されている。
このディスクガイド部２は、前方側は前面パネル１の背面にネジなどにより取り付けられ、後方側は、図２，３に示すように、読み取り装置側ディスク挿入口３１に圧入などにより挿入組み付けられている。
【００１６】
ディスク読み取り装置３は、ディスク挿入口１１およびディスクガイド部２を介して挿入されたディスクに記録されたデータを読み取るものである。ディスク読み取り装置３の前面には、ディスクが挿入される読み取り装置側ディスク挿入口３１が形成された前面プレート３２が設けられている。
前面プレート３２は、板金などの金属材料、フィラー入り樹脂材料などの剛性の高い材料や厚みのある樹脂材料などによって高剛性に構成されている。この前面プレート３２は、図２，４に示すように、読み取り装置側ディスク挿入口３１に挿入組み付けられたディスクガイド部２上下面の後方側（ディスクガイド部２のディスク読み取り装置側のディスクの挿入方向と直交する上下面）全体を挟み込む。
【００１７】
なお、図２では、ディスクガイド部２の後方側の厚みと読み取り装置側ディスク挿入口３１の厚みとを一致させ、ディスクガイド部２を前面プレート３２に密着させた状態を示している。このような状態であれば、ディスクの挿入・排出状態（挿入前，挿入時や排出時など）に関わらず、開口部２１の後方側の厚みをディスク２枚分の厚みより狭い状態に維持させることができる。
しかしながら、ディスクガイド部２の後方側の厚みと読み取り装置側ディスク挿入口３１の厚みとを完全に一致させることは製造上の公差を考えると難しく、ディスクガイド部２と前面プレート３２との間には厳密には隙間が発生する。また、圧入などでディスクガイド部２を前面プレート３２に密着させたとしても、ヒートショックなどにより隙間が発生する。この場合、ディスクが挿入される際に、開口部２１の後方側が、厚み方向に隙間分だけ押し広げられ、ディスク２枚分の厚みより広くなってしまう恐れがある。
【００１８】
そのため、読み取り装置側ディスク挿入口３１の厚みは、ディスクが挿入される際に、開口部２１の後方側が、厚み方向に隙間分だけ押し広げられたとしても、ディスク２枚分の厚みよりも狭い状態を維持させることができる寸法に構成する。
【００１９】
以上のように、この実施の形態１によれば、ディスクガイド部２の後方側を読み取り装置側ディスク挿入口３１に挿入組み付けて、開口部２１の後方側の厚みをディスク２枚分の厚みよりも狭くし、高剛性の前面プレート３２によってディスクガイド部２上下面の後方側を挟み込むように構成したので、ディスクを２枚重ねた状態で挿入しようとした場合に、開口部２１の後方側の厚みが広がることはなく、ディスクの２重挿入を防止することができる。
また、ディスクガイド部２自体の剛性を高める必要はなく、フランジの追加、板厚の増加やリブの補強などは不要であるため、ディスクガイド部２をシンプルに構成することができ、小型化を図ることができる。そのため、意匠に関わる部分への影響を減らすことができ、設計自由度を高めることができる。また、ディスクガイド部２を成形する際の金型費用が安価になり、また成形が容易となる。
【００２０】
また、ディスクガイド部２の後方側を読み取り装置側ディスク挿入口３１内に挿入組み付けているため、ディスクガイド部２によりガイドされたディスクを確実にディスク読み取り装置３内に挿入することができる。
また、従来からディスクガイド部２は、ディスクを傷つけないため樹脂材料により形成されることが多い。そのため、従来のディスク装置では、熱によりディスクガイド部２が膨張や軟化した場合には、ディスクガイド部の開口が広がりやすくなり、ディスクの２重挿入防止機能が低下する恐れがあった。しかしながら、実施の形態１に係るディスク装置では、板金などにより形成された前面プレート３２によってディスクガイド部２を挟み込む構成であるため、熱によりディスクガイド部２が膨張や軟化した場合においても、開口部２１の後方側の厚みが広がることはなく、ディスクの２重挿入防止機能が低下することはない。
【００２１】
実施の形態２．
実施の形態１では、高剛性の前面プレート３２によって、ディスクガイド部２上下面の後方側全体を挟み込むように構成したが、実施の形態２では、ディスクガイド部２上下面の後方側（ディスクガイド部２のディスク読み取り装置側のディスクの挿入方向と直交する上下面）両端部分のみを挟み込むように構成したものについて示す。
【００２２】
前面プレート３２は、図５，６に示すように、２枚のコの字型プレート３２ａ，３２ｂにより構成されている。このコの字型プレート３２ａ，３２ｂは、ディスクガイド部２上下面の後方側両端部分を挟み込む。
なお、この両端部分には、ディスクガイド部２上下面の後方側の、挿入されるディスク両端に対応する位置より内側が含まれる。すなわち、２枚のコの字型プレート３２ａ，３２ｂの間の隙間は、ディスクガイド部２に挿入されるディスク直径よりも狭くなるように構成される。
このように構成しても、ディスクガイド部２にディスクを２枚重ねた状態で挿入しようとした場合に、ディスクガイド部２上下面の後方側両端部分が高剛性のコの字型プレート３２ａ，３２ｂにより挟み込まれているため、開口部２１の後方側の厚みが広がることはなく、ディスクの２重挿入を防止することができる。
【００２３】
また、図５に示すようなコの字型プレート３２ａ，３２ｂを用いてディスクガイド部２の両端を挟む構成に限らず、例えば、図７（ａ），（ｂ）に示すような前面プレート３２を用いてディスクガイド部２の両端部分を挟み込むように構成してもよい。
図７（ａ）は、読み取り装置側ディスク挿入口３１の長手方向中央部分の厚みをディスクガイド部２の後方側の厚みより広く形成した前面プレート３２を用いたものである。図７（ｂ）は、図５，６に示すコの字型プレート３２ａ，３２ｂをさらに上下で２つに分割したプレート３２ｃ，３２ｄを用いたものである。なお、前面プレート３２は、剛性を確保することができれば一体、別体は問わない。
【００２４】
以上のように、この実施の形態２によれば、高剛性の前面プレート３２によって、ディスクガイド部２上下面の後方側の、ディスク両端に対応する位置より内側を含む、両端部分のみを挟み込むように構成しても、実施の形態１における効果と同様の効果を得ることができる。
【００２５】
実施の形態３．
実施の形態２では、高剛性の前面プレート３２によって、ディスクガイド部２上下面の後方側両端部分のみを挟み込むように構成したが、実施の形態３では、ディスクガイド部２上下面の後方側（ディスクガイド部２のディスク読み取り装置側のディスクの挿入方向と直交する上下面）中央部分のみを挟み込むように構成したものについて示す。
【００２６】
前面プレート３２には、図８に示すように、略Ｈ型の読み取り装置側ディスク挿入口３１が形成されている。なお、読み取り装置側ディスク挿入口３１の最小厚部分（読み取り装置側ディスク挿入口３１の長手方向中央部分）３１ａの厚みは、ディスクガイド部２が前面プレート３２に密着した際の開口部２１の厚みがディスク２枚分の厚みより狭くなるような寸法に構成されている。
このように構成しても、ディスクガイド部２にディスクを２枚重ねた状態で挿入しようとした場合に、ディスクガイド部２上下面の後方側中央部分が高剛性の前面プレート３２により挟み込まれているため、開口部２１の後方側の厚みが広がることはなく、ディスクの２重挿入を防止することができる。
【００２７】
以上のように、この実施の形態３によれば、高剛性の前面プレート３２によって、ディスクガイド部２上下面の後方側中央部分のみを挟み込むように構成しても、実施の形態１における効果と同様の効果を得ることができる。
【００２８】
実施の形態４．
実施の形態１〜３では、ディスクガイド部として、開口部２１が平坦形状に構成されたディスクガイド部２を用いて説明を行ったが、実施の形態４では、開口部２１ｂが湾曲形状に構成されたディスクガイド部２ｂを用いた場合について示す。
【００２９】
ディスクガイド部２ｂは、図９に示すように、開口部２１ｂの後方側の厚みが、長手方向両端ではディスク２枚分の厚みより狭く形成され、長手方向中央に向かって広くなる湾曲形状に構成されている。なお、ディスクガイド部２ｂ上下面の後方側両端部分は、平坦形状に構成されている。
【００３０】
このような湾曲形状のディスクガイド部２ｂを用いた場合、図４に示すような前面プレート３２を用いて、ディスクガイド部２ｂ上下面の後方側全体を挟み込むことは難しい。しかしながら、図９に示すように、前面プレート３２としてコの字型プレート３２ａ，３２ｂを用いることで、ディスクガイド部２ｂ上下面の後方側両端部分のみを挟み込ませることができ、容易にディスクの２重挿入防止機能を発揮させることができる。
【００３１】
なお、前面プレート３２としては、図９に示すようなコの字型プレート３２ａ，３２ｂに限らず、例えば図７に示すような、読み取り装置側ディスク挿入口３１の長手方向中央部分の厚みをディスクガイド部２の厚みより広く構成した前面プレート３２や、コの字型プレート３２ａ，３２ｂをさらに上下で分割したプレート３２ｃ，３２ｄなどを用いてもよい。
【００３２】
以上のように、この実施の形態４によれば、開口部２１ｂが湾曲形状に構成されたディスクガイド部２ｂを用いた場合であっても、高剛性の前面プレート３２によって、ディスクガイド部２上下面の後方側の、ディスク両端に対応する位置より内側を含む、両端部分のみを挟み込むように構成することで、実施の形態１における効果と同様の効果を得ることができる。
【００３３】
実施の形態５．
実施の形態１〜４において、例えば図５に示すコの字型プレート３２ａ，３２ｂなどのように前面プレート３２を構成する複数の部品は全て同一材料・形状であるとして説明を行ったが、図１０に示すように、材料が異なる複数の部品から前面プレート３２を構成するようにしてもよい。また、板厚などの形状が異なる複数の部品から前面プレート３２を構成するようにしてもよい。
このように、異なる材料・形状の複数の部品を組み合わせて前面プレート３２を構成しても、実施の形態１と同様の効果を得ることができる。また、前面プレート３２を構成する際の自由度を高めることができる。
【００３４】
実施の形態６．
実施の形態１〜５では、読み取り装置側ディスク挿入口３１の厚みは一定のまま固定して構成したが、実施の形態６では、読み取り装置側ディスク挿入口３１の厚みを変化させて、開口部２１の後方側の厚みを調整するように構成したものについて示す。
【００３５】
前面プレート３２は、図１１に示すように、ディスクガイド部２上面の後方側を支持する第１のプレート３２ｅと、下面の後方側を支持する第２のプレート３２ｆとから構成されている。
この第１，２のプレート３２ｅ，３２ｆは、図１１（ｂ）に示すように、読み取り装置側ディスク挿入口３１の厚み方向に移動可能であり、読み取り装置側ディスク挿入口３１の厚みを変化させることができるように構成されている。
なお、ディスク読み取り装置３の前面プレート３２背面に形成された開口は、開口部２１の最大厚み（図１３に示す開口部２１の後方側の厚み）よりも広く構成されている。
【００３６】
また、ディスクガイド部２は、読み取り装置側ディスク挿入口３１の厚みの変化に伴い変形可能なように柔軟な材料により構成され、前面プレート３２に接着などにより固定されている。
さらに、ディスク装置には、ディスクの挿入・排出状態（挿入時，挿入中や排出時）に応じて、第１，２のプレート３２ｅ，３２ｆを所定距離移動させて、開口部２１の後方側の厚みを調整する駆動部４が設けられている。
【００３７】
次に、上記のように構成されたディスク装置の動作について説明する。
まず、ディスクを挿入する場合には、図１１に示すように、駆動部４は、開口部２１の後方側の厚みが、ディスク１枚分の厚みより広く、かつ、ディスク２枚分の厚みより狭くなるように、第１のプレート３２ｅを上方向に移動させ、第２のプレート３２ｆを下方向に移動させる。これにより、開口部２１の後方側の厚みをディスク２枚分の厚みより狭くして、ディスクの２重挿入を防止することができる。
【００３８】
次に、ディスクがディスク読み取り装置３内に挿入されている場合には、図１２に示すように、駆動部４は、開口部２１の後方側を閉じるように、第１のプレート３２ｅを下方向に移動させ、第２のプレート３２ｆを上方向に移動させる。これにより、ディスクの挿入ができないようにすることができる。
【００３９】
次に、ディスクをディスク読み取り装置３から排出する場合には、図１３に示すように、駆動部４は、開口部２１の後方側の厚みをディスク複数枚分（２枚分以上）の厚みとなるように、第１のプレート３２ｅを上方向に移動させ、第２のプレート３２ｆを下方向に移動させる。これにより、開口部２１の後方側の厚みを十分に広くして、ディスクの排出動作を容易に行うことができる。
【００４０】
以上のように、この実施の形態６によれば、ディスクガイド部２を変形可能に構成し、前面プレート３２を、ディスクガイド部２上面の後方側を支持する第１のプレート３２ｅと、下面の後方側を支持する第２のプレート３２ｆとから構成し、ディスクの挿入・排出状態に応じて、第１，２のプレート３２ｅ，３２ｆを移動させて開口部２１の後方側の厚みを調整するように構成したので、実施の形態１における効果に加えて、ディスクの挿入・排出状態に適した開口状態に調整することができる。
また、従来のディスク装置のように、金属製のシャッタを用いたディスク挿入口の開閉とは異なり、柔軟な材料からなるディスクガイド部２を介して読み取り装置側ディスク挿入口３１の開閉を行うため、ディスクが傷付くことを防止することができる。
【００４１】
なお、実施の形態６に係るディスク装置では、第１，２のプレート３２ｅ，３２ｆを両方とも移動させるように構成したが、これに限るものではなく、第１のプレート３２ｅまたは第２のプレート３２ｆの一方のみを移動させて、開口部２１の後方側の厚みを調整するように構成してもよい。
【００４２】
実施の形態７．
実施の形態６では、ディスクの挿入・排出状態に応じて開口部２１の後方側の厚みを調整するように構成したが、その他の目的に応じて開口部２１の後方側の厚みを調整するように構成してもよい。
例えば、防塵が目的であれば、ディスクを挿入・排出するとき以外（待機時やディスク挿入中）は、図１２に示すように、駆動部４は、開口部２１の後方側を閉じるように、第１，２のプレート３２ｅ，３２ｆの一方または両方を移動させる。これにより粉塵の侵入を防止することができる。
また、ディスクには、ＣＤ，ＤＶＤやＢＤなどのように様々な規格のディスクが存在するが、挿入するディスクの厚みに応じて、開口部２１の後方側の厚みを各ディスクを２枚重ねた状態では挿入することができない寸法に調整するようにしてもよい。
【００４３】
以上のように、この実施の形態７によれば、ディスクの挿入・排出状態に限らず、種々の目的に応じて、開口部２１の後方側の厚みを調整するように構成したので、実施の形態６における効果に加えて、利便性をさらに高めることができる。
【００４４】
実施の形態８．
実施の形態６，７では、前面プレート３２によって、ディスクガイド部２上下面の後方側全体を挟み込み、開口部２１の後方側全体の厚みを調整するように構成したが、実施の形態８では、開口部２１の後方側中央部分の厚みのみを調整するように構成したものについて示す。
【００４５】
前面プレート３２の第１，２のプレート３２ｅ，３２ｆは、図１４に示すように、ディスクガイド部２上下面の後方側中央部分のみを挟み込むように構成されている。
また、駆動部４は、第１，２のプレート３２ｅ，３２ｆの一方または両方を所定距離移動させて、開口部２１の後方側中央部分の厚みのみを調整する。
【００４６】
以上のように、この実施の形態８によれば、前面プレート３２によって、開口部２１の後方側中央部分での厚みを調整するように構成しても、実施の形態６，７における効果と同様の効果を得ることができる。
【００４７】
実施の形態９．
実施の形態６，８では、ディスクの挿入・排出状態に応じて開口部２１の厚みを調整するように構成したものであるが、実施の形態９では、挿入されるディスクの直径に応じて開口部２１の幅を調整するように構成したものである。
なお、以下では、ディスク装置に挿入される、第１のディスクとして直径１２ｃｍのディスクを用い、第２のディスクとして直径８ｃｍのディスクを用いた場合について説明する。
【００４８】
前面プレート３２は、図１５に示すように、ディスクガイド部２上下面の後方側両端部分を挟み込む第１，２のプレート３２ｅ，３２ｆと、後方側中央部分を挟み込む第３，４のプレート３２ｇ，３２ｈとから構成されている。なお、ここでの両端部分とは、ディスクガイド部２上下面の後方側の、第２のディスク両端に対応する位置よりも外側部分を指す。
この第１，２のプレート３２ｅ，３２ｆは、ディスクガイド部２の厚み方向に移動可能に構成されている。一方、第３，４のプレート３２ｇ，３２ｈは固定されている。また、第３，４のプレート３２ｇ，３２ｈの間の厚みは、ディスクガイド部２が第３，４のプレート３２ｇ，３２ｈに密着した際の開口部２１の後方側の厚みがディスク２枚分の厚みより狭くなるような寸法に構成されている。
また、駆動部４は、ディスク装置に挿入されるディスク直径に応じて、第１，２のプレート３２ｅ，３２ｆを所定距離移動させて、開口部２１の幅を調整する。
【００４９】
次に、上記のように構成されたディスク装置の動作について説明する。
まず、第１のディスクを使用する場合には、図１５（ａ）に示すように、駆動部４は、開口部２１の後方側両端部分を開くように、第１のプレート３２ｅを上方向に移動させ、第２のプレート３２ｆを下方向に移動させる。これにより、開口部２１の幅を第１のディスク直径より広くすることができ、第１のディスクを挿入することができる。
【００５０】
次に、第２のディスクを使用する場合には、図１５（ｂ）に示すように、駆動部４は、開口部２１の後方側両端部分を閉じるように、第１のプレート３２ｅを下方向に移動させ、第２のプレート３２ｆを上方向に移動させる。これにより、開口部２１の幅を、第１のディスク直径より狭く、かつ、第２のディスク直径より広くすることができ、第２のディスクのみを挿入可能として、第１のディスクの誤挿入を防止することができる。
【００５１】
以上のように、この実施の形態９によれば、挿入されるディスク直径に応じて、開口部２１の幅を調整するように構成したので、小径のディスクを挿入する場合に大径のディスクが誤挿入されることを防止することができる。
【００５２】
なお、実施の形態９に係るディスク装置では、第１，２のプレート３２ｅ，３２ｆを両方とも移動させるように構成したが、これに限るものではなく、第１のプレート３２ｅまたは第２のプレート３２ｆの一方のみを移動させて、開口部２１の幅を調整するように構成してもよい。
【００５３】
実施の形態１０．
実施の形態１に係るディスク装置では、製造上の公差やヒートショックなどによりディスクガイド部２と前面プレート３２との間に隙間が発生し、ディスクガイド部２の位置が不安定になってしまう。また、ディスクガイド部２の厚み方向の位置が不安定の場合、場合によっては開口部２１の後方側の厚みがディスク１枚分の厚みよりも狭くなってしまい、ディスクの挿入・排出を正常に行うことができなくなってしまう恐れがある。
そこで、実施の形態１０では、ディスクガイド部２および前面プレート３２のうち一方には、ディスク挿入方向に沿った突起部を形成し、他方には、この突起部と嵌合する嵌合部を形成して、ディスクガイド部２の厚み方向の位置決めを行うように構成したものについて示す。
【００５４】
ディスクガイド部２上下面の後方側には、図１６，１７に示すように、長手方向に沿って所定の間隔で複数の壁部２２が形成されている。この壁部２２には、ディスク挿入方向に沿って、ディスク読み取り装置３側に向かい突出したピン状の突起部２２ａが形成されている。
また、前面プレート３２には、突起部２２ａに対向する位置に、この突起部２２ａと嵌合する嵌合部３３が形成されている。
このディスクガイド部２に形成された突起部２２ａと、前面プレート３２に形成された嵌合部３３とを嵌合することにより、ディスクガイド部２の厚み方向の位置決めを行う。
【００５５】
これにより、製造上の公差やヒートショックなどによりディスクガイド部２と前面プレート３２との間に隙間が発生した場合にも、ディスクガイド部２の厚み方向の位置を安定させることができ、開口部２１の後方側の厚みがディスク１枚分の厚みより狭くなることを防止することができる。
【００５６】
一方、図１８，１９は、前面プレート３２の読み取り装置側ディスク挿入口３１上下側に、ディスク挿入方向に沿って、ディスクガイド部２側に向かい突出したピン状の突起部３４が形成されたものである。この突起部３４は、前面プレート３２の読み取り装置側ディスク挿入口３１上下側の長手方向に沿って、所定の間隔で複数形成されている。
また、ディスクガイド部２の後方側には、突起部３４に対向する位置に、この突起部３４と嵌合する嵌合部２３ａが形成された壁部２３が形成されている。
この前面プレート３２に形成された突起部３４と、ディスクガイド部２に形成された嵌合部２３ａとを嵌合することにより、ディスクガイド部２の厚み方向の位置決めを行う。このように構成しても、ディスクガイド部２の厚み方向の位置を安定させることができ、開口部２１の後方側の厚みがディスク１枚分の厚みより狭くなることを防止することができる。
【００５７】
以上のように、この実施の形態１０によれば、ディスクガイド部２および前面プレート３２のうち一方には、ディスク挿入方向に沿った突起部２２ａ（３４）を形成し、他方には、突起部２２ａ（３４）と嵌合する嵌合部３３（２３ａ）を形成するように構成したので、実施の形態１における効果に加えて、ディスクガイド部２の厚み方向の位置決めを行うことができ、開口部２１の後方側の厚みがディスク１枚分の厚みより狭くなることを防止することができる。
【００５８】
なお、実施の形態１０に係るディスク装置では、突起部２２ａ（３４）をピン状に形成して説明を行ったが、これに限るものではなく、突起部２２ａ（３４）を例えば線状や爪状に形成してもよい。また、図１６，１８に示すように、嵌合部３３（２３ａ）を貫通させて説明を行ったが、これに限るものではなく、嵌合部３３（２３ａ）を貫通させずに溝状に形成してもよい。
【００５９】
実施の形態１１．
実施の形態１０に係るディスク装置では、ディスクガイド部２および前面プレート３２のうち一方には、ディスク挿入方向に沿った突起部２２ａ（３４）を形成し、他方には突起部２２ａ（３４）と嵌合する嵌合部３３（２３ａ）を形成して、ディスクガイド部２の厚み方向の位置決めを行うように構成した。
一方、製造上の公差やヒートショックなどによりディスクガイド部２と前面プレート３２との間に隙間が発生して、ディスクガイド部２のディスク挿入方向の位置が不安定となった場合、場合によってはディスク挿入方向への力（摩擦力など）が加わることによりディスクガイド部２が読み取り装置側ディスク挿入口３１から外れてしまう恐れがある。
そこで、実施の形態１１では、ディスクガイド部２および前面プレート３２のうち一方には、厚み方向に沿った突起部を形成し、他方には、この突起部と嵌合する嵌合部を形成して、ディスクガイド部２のディスク挿入方向の位置決めを行うように構成したものについて示す。
【００６０】
ディスクガイド部２上下面の後方側両端部分には、図２０，２１に示すように、厚み方向に沿って、平板状の突起部２４が形成されている。
また、前面プレート３２は、２枚のコの字型プレート３２ａ，３２ｂから構成されている。このコの字型プレート３２ａ，３２ｂには、突起部２４に対向する位置に、この突起部２４と嵌合する嵌合部３５が形成されている。
この突起部２４と嵌合部３５との位置を合わせ、コの字型プレート３２ａ，３２ｂをディスクガイド部２側にスライドさせることによって組み付けを行い、ディスクガイド部２のディスク挿入方向の位置決めを行う。
【００６１】
これにより、製造上の公差やヒートショックなどによりディスクガイド部２と前面プレート３２との間に隙間が発生した場合にも、ディスクガイド部２のディスク挿入方向の位置を安定させることができ、ディスク挿入方向への力が加わることによりディスクガイド部２が読み取り装置側ディスク挿入口３１から外れてしまうことを防止することができる。
【００６２】
一方、図２２，２３は、コの字型プレート３２ａ，３２ｂの読み取り装置側ディスク挿入口３１上下側を突起部３６として機能させたものである。
また、ディスクガイド部２上下面の後方側には、突起部３６に対向する位置に、この突起部３６と嵌合する嵌合部２５が形成されている。
この突起部３６と嵌合部２５との位置を合わせ、コの字型プレート３２ａ，３２ｂをディスクガイド部２側にスライドさせることによって組み付けを行い、ディスクガイド部２のディスク挿入方向の位置決めを行う。このように構成しても、ディスクガイド部２のディスク挿入方向の位置を安定させることができ、ディスク挿入方向への力が加わることによりディスクガイド部２が読み取り装置側ディスク挿入口３１から外れてしまうことを防止することができる。
【００６３】
以上のように、この実施の形態１１によれば、ディスクガイド部２および前面プレート３２のうち一方には、厚み方向に沿った突起部２４（３６）を形成し、他方には、突起部２４（３６）と嵌合する嵌合部３５（２５）を形成するように構成したので、実施の形態１における効果に加えて、ディスクガイド部２のディスク挿入方向の位置決めを行うことができ、ディスクの挿入方向への力が加わることによりディスクガイド部２が読み取り装置側ディスク挿入口３１から外れてしまうことを防止することができる。
【００６４】
なお、実施の形態１１に係るディスク装置では、前面プレート３２として２枚のコの字型プレート３２ａ，３２ｂを用いた場合について示したが、これに限るものではなく、例えば読み取り装置側ディスク挿入口３１の長手方向一端が開口した１枚のコの字型プレートや上下別体のプレートなどを用いてもよい。
【００６５】
また、実施の形態１０，１１に係るディスク装置では、ディスクガイド部２の厚み方向の位置決め機構と、ディスクガイド部２のディスク挿入方向の位置決め機構とを別々に構成したが、ディスクガイド部２の厚み方向の位置決め機構およびディスク挿入方向の位置決め機構の両方を有するディスク装置を構成してもよい。
【００６６】
なお、本願発明は、その発明の精神の範囲内において各実施例の自由な組み合わせ、あるいは各実施例の変形、省略が可能である。
【符号の説明】
【００６７】
１  前面パネル、２，２ｂ  ディスクガイド部、３  ディスク読み取り装置、４  駆動部、１１  ディスク挿入口、２１，２１ｂ  開口部、２２，２３  壁部、２２ａ，２４  突起部、２３ａ，２５  嵌合部、３１  読み取り装置側ディスク挿入口、３１ａ  最小厚部分、３２，３２ａ〜３２ｈ  前面プレート、３３，３５  嵌合部、３４，３６  突起部。
【図１】
0005566220.tif 000002
【図２】
0005566220.tif 000003
【図３】
0005566220.tif 000004
【図４】
0005566220.tif 000005
【図５】
0005566220.tif 000006
【図６】
0005566220.tif 000007
【図７】
0005566220.tif 000008
【図８】
0005566220.tif 000009
【図９】
0005566220.tif 000010
【図１０】
0005566220.tif 000011
【図１１】
0005566220.tif 000012
【図１２】
0005566220.tif 000013
【図１３】
0005566220.tif 000014
【図１４】
0005566220.tif 000015
【図１５】
0005566220.tif 000016
【図１６】
0005566220.tif 000017
【図１７】
0005566220.tif 000018
【図１８】
0005566220.tif 000019
【図１９】
0005566220.tif 000020
【図２０】
0005566220.tif 000021
【図２１】
0005566220.tif 000022
【図２２】
0005566220.tif 000023
【図２３】
0005566220.tif 000024